(57)【特許請求の範囲】
【請求項１】
かみそりヘッド６に対して外刃ホルダー２２が着脱可能に装着され、かみそりヘッド６の内部に外刃ホルダー２２の装着状態をロック保持するロック機構が設けてある電気かみそりであって、
ロック機構は、かみそりヘッド６の前後面の少なくとも一方の複数個所に配置されて、外刃ホルダー２２に設けた係合部５１と係合するロック体５５と、ロック体５５をロック姿勢に進出付勢するばね５６と、ロック体５５の出退方向と交差する向きに変位操作されて、ロック体５５をばね５６の付勢力に抗してロック解除操作する操作枠５３とを含み、
各ロック体５５と操作枠５３とは、両者５３・５５を繋ぐ枝腕５４を介して一体にプラスチック成形されており、
枝腕５４と、枝腕５４を受け止める固定突起６９とで動作変換機能を構成しており、
操作枠５３のロック解除方向への変位を、動作変換機構で前記変位方向と交差する向きに変換してロック体５５に伝えることを特徴とする電気かみそり。
【請求項２】
枝腕５４と操作枠５３、および枝腕５４とロック体５５とのそれぞれが、薄肉のヒンジ部５８を介して相対変位可能に接続してある請求項１記載の電気かみそり。
【請求項３】
枝腕５４が、操作枠５３の変位方向とは非平行に傾斜配置されており、操作枠５３のロック解除方向への変位に伴なって、枝腕５４が固定突起６９で、操作枠５３と枝腕５４の挟む角度が小さくなる向きに傾動操作される請求項１または２記載の電気かみそり。
【請求項４】
操作枠５３の左右に、前後で対を為す一対ずつのロック体５５と枝腕５４とが設けられており、前後一対の枝腕５４の間にロック付勢用のばね５６が配置してある請求項１、２または３記載の電気かみそり。
【請求項５】
かみそりヘッド６が、上向きに開口するフレーム２０と、フレーム２０の上面開口を塞ぐ蓋体２１とを取付基体にして構成されており、
フレーム２０と蓋体２１とで囲まれる室内に、内刃駆動用の振動子１８と、外刃ホルダー２２用のロック機構とが収容されており、
振動子１８は、平板状のベース壁６３と、ベース壁６３の両側端において上向きに延びる前後一対ずつの振動吸収腕６４と、ベース壁６３の前後縁の左右中央に立設した駆動軸２５と、振動吸収腕６４の上端に連続して横向きに張り出される取付ベース６５とを備えており、
両側端の振動吸収腕６４と駆動軸２５との左右間、および前後一対の振動吸収腕６４と、駆動軸２５の前後間の隙間空間に、操作枠５３と、枝腕５４と、ロック付勢用のばね５６等が配置してある請求項４記載の電気かみそり。
【請求項６】
フレーム２０の開口前後縁に設けた溝５９で、各ロック体５５が出退自在に案内支持されており、
内刃用の振動子１８の取付ベース６５と、各ロック体５５とが、フレーム２０に固定した蓋体２１で保持固定してある請求項５記載の電気かみそり。
【請求項７】
蓋体２１の上壁内面に、枝腕５４を受け止める固定突起６９が突設してある請求項５または６記載の電気かみそり。
【請求項８】
ロック体５５の一方の前後対の退入タイミングと、他方の前後対の退入タイミングとが異なるように、操作枠５３と枝腕５４とロック体５５の接続形態が異ならせてある請求項４、５、６または７記載の電気かみそり。
【発明の詳細な説明】
【０００１】
【発明の属する技術分野】
この発明は、電気かみそりに関し、その外刃ホルダーの装着状態を維持するために設けられるロック機構を改良したものである。
【０００２】
【従来の技術】
この種のロック機構に関して、特開平７−２９９２６２号公報が公知である。そこでは、かみそりヘッドの前面および後面に左右一対ずつのロック体を出退自在に配置し、これらのロック体をばねで進出付勢して、外刃ホルダーをロック保持できるようにしている。さらに、各ロック体をばねに抗して同時にロック解除操作するために、ロック体の下面にスライド枠を設け、この枠とロック体との間にカム溝とピンを設けている。スライド枠は、ヘッドフレームに設けたロック解除用のボタンを押し込み操作することによって、各ロック体をばねに抗しながら退入操作する。
【０００３】
特開平１０−２１６３７４号公報にも、同趣旨のロック機構が提案されている。そこでは、かみそりヘッドの左右側面に前後一対ずつのロック体を設け、これらのロック体をロック解除枠で同時に退入操作できるようにしている。ロック解除枠と各ロック体とは一体にプラスチック成形してあり、枠体の中途部に、押し込み動作を逆向きの動きに変換するＶ字状のヒンジ部を備えている。このヒンジ部はかみそりヘッド内部の固定壁で常時受け止められており、ヒンジ部の一方の腕を固定壁へ向って押し付け操作するとき、ヒンジ部の全体が傾動し、他方の腕が固定壁から離れる向きに移動することによって逆向きの動作変換を実現している。この発明のロック機構も、同様にロック解除用の操作枠とロック体とを一体成形している。
【０００４】
【発明が解決しようとする課題】
従来の前者かみそりにおいては、４個のロック体と、これらをスライド自在に案内するガイド体、ばねおよびスライド枠などでロック機構を構成するので、部品点数が多く、その分だけコストが嵩むうえ、組み立てに多くの手間が掛かる。その点、後者かみそりは、ばね以外の部材を一体成形するので、ロック機構の構成部品点数を著しく減少でき、組み立ての手間を省くことができる。問題は、Ｖ字のヒンジ部とこれを受け止める固定壁とでヒンジ部をてこ状に傾動させて動作変換を行うので、動作変換によって引き込み操作される側のロック体の動作量にばらつきを生じやすい点にある。ヒンジ部の形状のばらつきや、ヒンジ部と固定壁との接当位置の僅かなばらつきによっても、ロック体の動作量が大小にばらつきやすい不利もある。
【０００５】
この発明の目的は、ロック体と、ロック体をロック解除操作する操作枠とが一体にプラスチック成形してあるロック機構において、全てのロック体をばらつきなく適正にロック解除操作できるようにし、以て外刃ホルダーのかみそりヘッドに対する着脱を円滑化することにある。この発明の他の目的は、外刃ホルダー用のロック機構の構成部品点数が少なくて済み、その分だけ製作コストを減らし、さらに組み立ての手間も軽減して、電気かみそりの製造コストを削減することにある。
【０００６】
【課題を解決するための手段】
この発明の電気かみそりは、かみそりヘッド６に対して外刃ホルダー２２が着脱可能に装着され、かみそりヘッド６の内部に外刃ホルダー２２の装着状態をロック保持するロック機構が設けてある。ロック機構は、かみそりヘッド６の前後面の少なくとも一方の複数個所に配置されて、外刃ホルダー２２に設けた係合部５１と係合するロック体５５と、ロック体５５をロック姿勢に進出付勢するばね５６と、ロック体５５の出退方向と交差する向きに変位操作されて、ロック体５５をばね５６の付勢力に抗してロック解除操作する操作枠５３とを含む。各ロック体５５と操作枠５３とは、両者５３・５５を繋ぐ枝腕５４を介して一体にプラスチック成形する。枝腕５４と、枝腕５４を受け止める固定突起６９とで動作変換機能を構成し、操作枠５３のロック解除方向への変位を、動作変換機構で前記変位方向と交差する向きに変換してロック体５５に伝える。
【０００７】
具体的には、枝腕５４と操作枠５３、および枝腕５４とロック体５５とはそれぞれが、薄肉のヒンジ部５８を介して相対変位可能に接続する。
【０００８】
枝腕５４は、操作枠５３の変位方向とは非平行に傾斜配置しておき、操作枠５３のロック解除方向への変位に伴なって、枝腕５４が固定突起６９で、操作枠５３と枝腕５４の挟む角度が小さくなる向きに傾動操作されるようにする。
【０００９】
操作枠５３の左右に、前後で対を為す一対ずつのロック体５５と枝腕５４とを設ける。前後一対の枝腕５４の間にロック付勢用のばね５６を配置する。
【００１０】
かみそりヘッド６は、上向きに開口するフレーム２０と、フレーム２０の上面開口を塞ぐ蓋体２１とを取付基体にして構成する。フレーム２０と蓋体２１とで囲まれる室内に、内刃駆動用の振動子１８と、外刃ホルダー２２用のロック機構とを収容する。振動子１８は、平板状のベース壁６３と、ベース壁６３と、ベース壁６３の両側端において上向きに延びる前後一対ずつの振動吸収腕６４と、ベース壁６３の前後縁の左右中央に立設した駆動軸２５と、振動吸収腕６４の上端に連続して横向きに張り出される取付ベース６５とを備えている。両側端の振動吸収腕６４と駆動軸２５との左右間、および前後一対の振動吸収腕６４と、駆動軸２５の前後間の隙間空間に、操作枠５３と、枝腕５４と、ロック付勢用のばね５６等を配置する。
【００１１】
フレーム２０の開口前後縁に設けた溝５９で、各ロック体５５を出退自在に案内支持する。内刃用の振動子１８の取付ベース６５と、各ロック体５５とは、フレーム２０に固定した蓋体２１で保持固定する。
【００１２】
蓋体２１の上壁内面に、枝腕５４を受け止める固定突起６９を突設する。
【００１３】
ロック体５５の一方の前後対の退入タイミングと、他方の前後対の退入タイミングとが異なるように、操作枠５３と枝腕５４とロック体５５の接続形態を異ならせる。
【００１４】
【作用】
操作枠５３をロック体５５の出退方向と交差する向きに変位操作するとき、枝腕５４は操作枠５３と同行変位しようとする。しかし、枝腕５４は固定突起６９に受け止められるため、固定突起６９を回り込むように変形しながら操作枠５３と同行変位する。このときの変形方向は、ロック体５５をかみそりヘッド６の内部へ退入操作する向きと一致させてある。従って、操作枠５３をロック体５５の出退方向と交差する向きに変位操作しているにもかかわらず、ロック体５５をばね５６の付勢力に抗してロック解除操作できる。
【００１５】
このように、本発明においては、枝腕５４を固定突起６９で受け止めて、枝腕５４が固定突起６９に沿って徐々に回り込み傾動する動作によって、操作枠５３の左右方向の変位を前後方向の変位に動作変換するので、ロック体５５のロック解除動作を確動機構と同じようにばらつきなく確実に行える。また、ロック体５５は専用のばね５６で常にロック姿勢に移動付勢してあるので、操作枠５３に対する操作力を解放すると、直ちにロック姿勢へ復帰できる。従って、この発明のロック機構によれば、枝腕５４の成形上のばらつきや、枝腕５４と固定突起６９との接当位置の僅かなばらつきに左右されることなく、外刃ホルダー２２のロック解除操作を適確に行って、そのかみそりヘッド６に対する着脱を円滑に行える。
【００１６】
枝腕５４と操作枠５３、および枝腕５４とロック体５５のそれぞれを、薄肉のヒンジ部５８を介して相対変位可能に接続するロック機構によれば、枝腕５４が固定突起６９に沿って回り込み傾動するときの、操作枠５３およびロック体５５に対する枝腕５４の変形抵抗を著しく軽減して、ロック解除操作を軽快に行える。
【００１７】
枝腕５４を傾斜配置しておき、これを固定突起６９で操作枠５３へ接近する向きに傾動操作して、ロック体５５をロック解除操作するロック機構によれば、操作枠５３をロック解除操作するときの枝腕５４の回り込み傾動動作を円滑化できるうえ、変形抵抗をさらに小さくできる。ロック体５５を退入操作する際の退入力を当初は小さく、退入するに従って徐々に大きくできる。
【００１８】
ロック体５５および枝腕５４を左右前後に一対ずつ設けるロック機構においては、外刃ホルダー２２の前壁の左右２個所と、後壁の左右２個所とをロック体５５で係合して、外刃ホルダー２２をぐらつきなく安定した状態でロック保持できる。
【００１９】
フレーム２０と蓋体２１とで囲まれる室内に内刃駆動用の振動子１８を収容し、振動子１８に設けた振動吸収腕６４と駆動軸２５との間の隙間空間を利用して、そこにロック機構を配置した電気かみそりによれば、振動子１８およびロック機構を集約配置する分だけかみそりヘッド６をコンパクト化し、電気かみそりを小形化できる。
【００２０】
振動子１８の取付ベース６５とロック体５５とを蓋体２１で保持固定するかみそりヘッド構造によれば、蓋体２１を取り外すだけで、振動子１８やロック機構をフレーム２０から簡単に取り外せるので、振動子１８やロック機構、あるいはこれらの部品を収容する室の清掃および部品交換等の保守作業を容易に行うことができる。
【００２１】
枝腕５４を変位操作するための固定突起６９を蓋体２１の側に設けると、振動子１８やロック機構をフレーム２０内に組み付ける際に、固定突起６９が組み付けの邪魔になるのを解消できるので、フレーム２０の内底に固定突起６９を設ける場合に比べて、組み立てを迅速に行える。また、フレーム２０の内底に固定突起６９を設ける場合には、振動子１８のベース壁６３の平面視形状が、固定突起６９の配置位置との関係で制約を受けるが、こうした形状の制約がない分、ベース壁６３の左右寸法や前後寸法を大きく設定できる。換言すると、回転動力を受け継ぐベース壁６３の剛性を向上できるうえ、前後一対の駆動軸２５をベース壁６３に設けるのに都合が良い。
【００２２】
ロック体５５の一方の前後対と、他方の前後対の退入タイミングを異ならせたロック機構によれば、対を為すロック体５５の一方がロック解除した後、他方をロック解除できるので、内刃３３の押し上げ付勢力を受けた外刃ホルダー２２の全体が、ロック解除と同時に跳ね飛んで外れるのを防止できる。例えば外刃ホルダー２２の左半側に設けたロック体５５の前後対をロック解除した後、右半側のロック体５５の前後対をロック解除して、その間に内刃３３による押し上げ力を段階的に減少させて、外刃ホルダー２２が勢いよく跳ね上がるのを解消できる。
【００２３】
【実施例】
図１ないし図１５にこの発明を適用した水洗い式の電気かみそりを示す。この電気かみそりはかみそりヘッドが前後揺動自在に軸支された、首振り型の電気かみそりからなる。図２ないし図９において、電気かみそりは、下向きに開口する異形筒形の本体ケース１と、その内部に下面側から差し込み装填される電装品ユニット２、および底ケース３と、本体ケース１の上面に固定されるヘッドフレーム４と、ヘッドフレーム４の左右一対の側枠５・５で前後揺動自在に、つまり首振り自在に支持されたかみそりヘッド６などを主な構成部材にして構成してある。左方の側枠５には、後述するロック解除用のボタン５２が出没自在に設けてある。
【００２４】
ヘッドフレーム４と電装品ユニット２とを、本体ケース１の上壁を間にしてビス７で締結し、さらに、底ケース３と電装品ユニット２とをビス８で締結し、これらの締結部をＯリングやパッキンでシールすることにより、本体ケース１内への水の浸入を阻止し、かみそりヘッド６の水洗いを可能としている、なお、電装品ユニット２は、プラスチック成形されたユニットベース１１にモータ９、二次電池１０、回路基板などを組み付け、回路基板上にモータ起動用のスイッチ等を配置してなる（図４参照）。
【００２５】
本体ケース１の前面にはモータ起動用のスイッチノブ１３を設ける。図８に示すように、ヘッドフレーム４の後面にはきわぞり刃ユニット１４を配置し、このユニット１４を起伏操作するスライドノブ１５を本体ケース１の後面に設けている。モータ動力は、モータ９の出力軸に固定した偏心カム１６と、偏心カム１６でそれぞれ往復駆動されるきわぞり系の振動子１７、および内刃系の振動子１８を介して、きわぞり刃ユニット１４、および後述する内刃に伝動される。図２において、符号１２は外刃保護用のキャップである。
【００２６】
図１１ないし図１４においてかみそりヘッド６は、逆門形のフレーム２０と、フレーム２０にビス止めされる蓋体２１とを取付基体にして、フレーム２０と蓋体２１で囲まれる室内に内刃用の振動子１８と、外刃ホルダー２２用のロック機構とを組み込み、フレーム２０に対して外刃ホルダー２２を着脱可能に被せ付けてなる。この外刃ホルダー２２と蓋体２１との間に前後一対の第１刃体２３・２３を配置し、両刃体２３の間に第２刃体２４を設けて、これら両者２３・２４を先の振動子１８で同時に駆動できるようにしている（図８参照）。振動子１８には、蓋体２１の上面に突出する前後一対の駆動軸２５が設けてある。
【００２７】
フレーム２０の左右一対の側壁の外面に固定した軸２６を、ヘッドフレーム４で軸支することにより、かみそりヘッド６の全体が前後方向へ首振り揺動できる。かみそりヘッド６を首振り不能にロックするために、図６に示すようにヘッドフレーム４の一側に上下スライドするロックノブ２９とロック棒３０とを設け、ロック棒３０が上方スライドしてフレーム２０のロック凹部３１と係合する状態において、かみそりヘッド６をロック固定できるようにしている。
【００２８】
図９において、第１刃体２３は、先の駆動軸２５に分離可能に圧嵌装着される内刃３３と、外刃ホルダー２２で断面アーチ形に支持される外刃３４とからなり、駆動軸２５の内部に配置したばね２７（図１１参照）で内刃３３を外刃３４に押し付け付勢している。
【００２９】
図１４において、外刃ホルダー２２は、前後壁と左右壁とを有する上下が開口するホルダー枠３５と、その上面の前後に配置した上記の外刃３４と、両外刃３４の間に配置した第２刃体２４、および第２刃体２４の下方に設けられるガイド枠３６などで構成する。これらの構成部品のうち、第１刃体２３用の前後の外刃３４は、ガイド枠３６の前面および後面にフロート枠を介して溶着されて一体化してある。
【００３０】
図６に示すように、第２刃体２４は、下向きに開口するコ字枠状の外刃３８と、外刃３８に内嵌して左右に往復駆動される内刃３９と、外刃３８の両端に係合装着される左右一対の側端ピース４０と、内刃３９の中央に固定される受動片４１と、受動片４１に組み付けられて内刃３９を外刃３８に押し付け付勢する板ばね４２とで一個のユニット部品として構成してある。
【００３１】
第２刃体２４の内刃３９は、振動子１８の前後の駆動軸２５に外嵌装着した駆動ピース４５で往復駆動される。図１１に示すように駆動ピース４５は蓋体２１の開口面を塞ぐ蓋壁４６を有し、その前後中央に受動片４１の受動溝と係合する駆動突起４７が上向きに突設してある。蓋壁４６の前後縁の中央下面には各駆動軸２５と係合する係合爪４８が設けてある（図１４参照）。蓋壁４６は、フレーム２０と蓋体２１とで囲まれる室内へ毛屑が入り込むのを防止し、以て、前記室内に配置した振動子１８やロックピース機構に毛屑や皮脂等が膠着し、これら駆動部品の動作が阻害されるのを防止するのに役立っている。
【００３２】
外刃ホルダー２２は、かみそりヘッド６に対して、前後方向へ開放揺動可能に連結されていて、水洗い時に第１刃体２３の内刃３３の外面を大きく開放できるようになっている。そのために、図９および図１０に示すように蓋体２１の後面両側に左右一対のガイド片７０を一体に成形し、ガイド片７０で区画した上下に長い溝７１で、ホルダー枠３５の後壁の下端両側に突設した軸体７２を上下スライド自在に案内支持している。ガイド片７０の下端寄りには、軸体７２の出し入れを許す連結口７３を設けている。なお、連結口７３の上下隙間は、軸体７２の直径寸法より僅かに小さく設定してある。
【００３３】
上記のように、ホルダー枠３５に設けた軸体７２を溝７１でスライド案内することにより、外刃ホルダー２２は、そのホルダー枠３５がフレーム２０の装着部に嵌着され、同時に外刃３４が内刃３３に密接する使用位置（図８の状態）と、外刃ホルダー２２の全体が溝７１の上端まで上方スライドして、装着部および内刃３３から分離した揺動待機位置（図９に示す状態）と、外刃ホルダー２２が軸体７２を中心にしてかみそり後面側へ反転揺動して内刃３３および毛屑室の前後面を完全に開放する開放位置（図９に想像線で示す状態）とに変位できる。外刃ホルダー２２を、一旦揺動待機位置まで上方スライドさせるのは、その開放揺動時に、ホルダー枠３５が内刃３３と接当干渉するのを避け、さらに第２刃体２４の受動片４１と駆動ピース４５を分離するためである。
【００３４】
かみそりヘッド６に嵌着した状態の外刃ホルダー２２をロック保持するために、図１１ないし図１５に示すロック機構を設ける。ロック機構は、フレーム２０に組み込まれるロックピース５０と、ホルダー枠３５の前後壁の内面左右に凹み形成した合計４個の係合部５１と（図１４参照）、ロックピース５０をロック解除操作するボタン５２などで構成する。
【００３５】
図１および図１１において、ロックピース５０は前後中央に設けた横長棒状の操作枠５３と、操作枠５３の前後面中途部と右端から分岐導出される４個の枝腕５４と、枝腕５４に連続して前後向きに突設される４個のロック体５５とを一体に成形したプラスチック成形品からなり、前後で対を為す枝腕５４の対向面間に、ロック体５５をロック姿勢に進出付勢するためのばね５６が配置してある。このばね５６は圧縮コイル形のばねからなり、枝腕５４と一体に形成したピン５７に外嵌装着される。枝腕５４は操作枠５３に対して４５度傾斜するように設けられていて、その両端が、薄肉のヒンジ部５８を介して操作枠５３とロック体５５とに連続してある。このように、ヒンジ部５８を設けることによって、枝腕５４は前後の枝腕同士が互いに接近する向きに支障なく傾動できる。
【００３６】
ロック体５５は、フレーム２０の前後の開口縁部に切り欠き形成した溝５９で出退自在に案内支持され、その内面両側に張り出した規制片６０で進出限界が規定してある。各ロック体５５を溝５９に装填した状態において、操作枠５３の操作端は、フレーム２０の一側壁に通設した通口６１を介してフレーム外面に臨んでいる。この操作端の外面にボタン５２が配置してある。
【００３７】
先に説明したように、ロックピース５０は振動子１８と共にフレーム２０内に組み込まれるが、振動子１８との接当干渉を避ける必要上、操作枠５３、枝腕５４、ロック体５５、およびばね５６を、振動子１８に設けられる構造体、具体的には駆動軸２５や振動吸収腕６４の前後左右の隙間空間に配置している。図１１に示すように、振動子１８は、矩形形状のベース壁６３の両端前後に薄肉の振動吸収腕６４を設け、前後の振動吸収腕６４の上端どうしを取付ベース６５で接続したプラスチック成形品からなり、ベース壁６３の中央前後に角筒状の駆動軸２５が突設してある。左右の取付ベース６５をフレーム２０の側壁内面に設けたブラケット６６上に載置し、その上面に蓋体２１を被せ付けた後、ビス６７で蓋体２１をブラケット６６に締結固定することにより、取付ベース６５がフレーム２０と一体化される。この状態で、ベース壁６３の下面に設けた受動溝６８は、フレーム２０の底壁に通設した通口からフレーム下面に臨んでいる。偏心カム１６の回転運動を往復運動に変換し、さらにかみそりヘッド６の首振り時にも動力伝動を可能とするために、受動溝６８は部分円弧状の前後に長い溝で形成してある。
【００３８】
フレーム２０に固定した蓋体２１は、ロック体５５用の溝５９の上面開口を塞いで、ロック体５５の上方遊動を防いでいる。また、蓋体２１の内面４個に設けた丸軸状の固定突起６９がフレーム２０内へ入り込んで、各枝腕５４に外接している。図１１に示すように、枝腕５４と固定突起６９とは、操作枠５３の横移動を前後方向の動作に変換して、ロック体５５をばね５６の付勢力に抗してロック解除操作する。そのために、固定突起６９は操作枠５３と同行移動しようとする枝腕５４を受け止める側に配置されて、操作枠５３がボタン５２で押し込み操作されるとき、各枝腕５４を矢印で示す向きに傾動操作する。
【００３９】
詳しくは、各枝腕５４はばね５６の付勢力に抗しながら固定突起６９を回り込むように傾動し、操作枠５３と枝腕５４の挟む角度が徐々に小さくなる。その結果、各ロック体５５はフレーム２０内方へ退入する向きの力を受け、溝５９で案内されながら係合部５１から離脱する。
【００４０】
４個のロック体５５が同時に係合部５１から離脱すると、前後の外刃３４に内刃３３の押し上げ力が作用している関係で、外刃ホルダー２２の全体が跳ね飛ばされてしまうおそれがある。こうした事態を避けるために、ロック体５５の左方の前後対と、右方の前後対との退入タイミングが異ならせてある。
【００４１】
具体的には、図１に向って左方の前後対のロック体５５が係合部５１から離脱した後、右方の前後対のロック体５５が係合部５１から離脱するようにしている。そのために、左方の前後対においては、枝腕５４に連続するヒンジ部５８をロック体５５の内端面において連続させ、右方の前後対においては、枝腕５４に連続するヒンジ部５８を規制片６０の左端内面において連続させている。このように、ロック体５５と枝腕５４との接続位置を異ならせると、枝腕５４の傾斜角度が同じであっても、ロック体５５の退入量に差が生じるので、退入タイミングを左右の前後対で異ならせることができる。因みに、左右の前後対におけるロック体５５と係合部５１との係合深さを異ならせ、あるいは、枝腕５４の傾斜角度を左右の前後対で異ならせておくことによっても、同様に退入タイミングを異ならせることができる。もちろん、右方の前後対のロック体５５を先に係合部５１から離脱させることができるし、必要があれば、前後の左右対のいずれか一方を先に離脱させてもよい。
【００４２】
図１５にロックピース５０の組み付け手順を示している。ロックピース５０の組み立て前に、先に説明した要領で振動子１８を組む。次に操作枠５３の操作端を、振動吸収腕６４の左方の前後対の間に通して通口６１に当てがう。この状態でロックピース５０を水平に押し込みながら、操作端を通口６１に差し込み、全体をフレーム２０内に収める。各ロック体５５を溝５９に嵌め込み、蓋体２１をビス６７でブラケット６６に締結する。この後、駆動ピース４５を駆動軸２５に外嵌装着し、さらに内刃３３を各駆動軸２５に装着する。
【００４３】
次にロックピース５０の変形例を図１６および図１７に基づいて説明する。なお、各変形例においては、特徴的な変更個所についてのみ説明し、上記の実施例と同じ部材には同じ符号を付して、その説明を省略する。
【００４４】
図１６におけるロックピース５０は、左右の前後対を構成する前後のロック体５５の位置を左右にずらして、４個のロック体５５が操作枠５３の前後に千鳥状に配置されるようにした。さらに、操作枠５３の右端部とフレーム２０の側壁との間にばね５６を配置して、このばね５６でロック体５５をロック付勢した。
【００４５】
図１７におけるロックピース５０は、操作枠５３の後面の側にのみ左右一対のロック体５５を設けた。この場合の外刃ホルダー２２は、係合部５１をホルダー枠３５の後壁内面に限って設け、前壁の側はフレーム２０に掛止連結することになる。
【００４６】
上記以外に、ホルダー枠３５に設ける係合部５１は突起で形成することができる。ロックピース５０の枝腕５４は操作枠５３に対して傾斜配置するのが好ましいが、必ずしもその必要はない。例えば、枝腕５４は操作枠５３とほぼ直交するように配置できる。さらに枝腕５４がブロック状や円弧状、あるいは円盤状に形成してある場合には、傾斜配置する必要はなく、固定突起６９の側に傾斜するガイド面を設けることができる。ばね５６は捻りコイル形のキックばねや板ばねで形成でき、必要があれば操作枠５３と一体に成形したプラスチックばねで形成することができる。固定突起６９はフレーム２０の側に設けることができる。
【図面の簡単な説明】
【図１】ロック機構を示す横断平面図である。
【図２】電気かみそりの傾斜図である。
【図３】電気かみそりの分解断面図である。
【図４】本体ケースの分解斜視図である。
【図５】かみそりヘッド側の分解斜視図である。
【図６】かみそりヘッドの中央縦断正面図である。
【図７】かみそりヘッドの内刃中心を通る縦断正面図である。
【図８】かみそりヘッドの縦断側面図である。
【図９】外刃ホルダーを分離した状態の縦断側面図である。
【図１０】外刃ホルダーを取り外した状態の背面図である。
【図１１】かみそりヘッドの分解斜視図である。
【図１２】外刃ホルダーと内刃を取り外した状態のかみそりヘッドの縦断正面図である。
【図１３】図１２におけるＡ−Ａ線断面図である。
【図１４】外刃ホルダーを取り外した状態のかみそりヘッドの縦断側面図である。
【図１５】ロックピースの組み付け状態を示す分解断面図である。
【図１６】ロックピースの別の実施例を示す平面図である。
【図１７】ロックピースのさらに別の実施例を示す平面図である。
【符号の説明】
６  かみそりヘッド
２０  フレーム
２１  蓋体
２２  外刃ホルダー
５１  係合部
５２  ボタン
５３  操作枠
５４  枝腕
５５  ロック体
５６  ばね
６９  固定突起
【図１】
0004420363.tif 000002
【図２】
0004420363.tif 000003
【図３】
0004420363.tif 000004
【図４】
0004420363.tif 000005
【図５】
0004420363.tif 000006
【図６】
0004420363.tif 000007
【図７】
0004420363.tif 000008
【図８】
0004420363.tif 000009
【図９】
0004420363.tif 000010
【図１０】
0004420363.tif 000011
【図１１】
0004420363.tif 000012
【図１２】
0004420363.tif 000013
【図１３】
0004420363.tif 000014
【図１４】
0004420363.tif 000015
【図１５】
0004420363.tif 000016
【図１６】
0004420363.tif 000017
【図１７】
0004420363.tif 000018